(57)【要約】【課題】携帯電話端末装置による記憶装置の利用を安全かつ簡易に実現したい。【解決手段】ホームゲートウエイ装置２２は、記憶装置２４と接続する。携帯電話端末装置１０は、ＩＰネットワーク２０経由にてホームゲートウエイ装置２２と接続する。ホームゲートウエイ装置２２は、携帯電話端末装置１０から、電話番号を受けつけると、携帯電話端末装置１０へ本ホームゲートウエイ装置２２のＩＰアドレスを通知する。その後、ホームゲートウエイ装置２２は、通知したＩＰアドレスに携帯電話端末装置１０からの接続要求を受けつけると、当該携帯電話端末装置１０の電話番号と既に受けつけた電話番号とをもとに、接続要求に対する認証を実行する。さらに、ホームゲートウエイ装置２２は、認証した携帯電話端末装置１０に対して、ＩＰネットワーク２０経由にて記憶装置２４を利用させる。【選択図】図１
2010068015.tif 000002
【特許請求の範囲】
【請求項１】
携帯電話端末装置とネットワーク経由にて接続しながら、前記携帯電話端末装置から所定の記憶装置への読み書きを制御する通信装置であって、
携帯電話端末装置から、当該携帯電話端末装置の電話番号を受けつける受付部と、
前記受付部において電話番号を受けつけた携帯電話端末装置へ本通信装置のネットワークアドレスを通知する通知部と、
前記通知部において通知したネットワークアドレスに携帯電話端末装置からの接続要求を受けつけると、当該携帯電話端末装置の電話番号と前記受付部において受けつけた電話番号とをもとに、接続要求に対する認証を実行する認証部と、
前記認証部において認証した携帯電話端末装置に対して、ネットワーク経由にて記憶装置を利用するための通信路を確立する通信部と、
を備えることを特徴とする通信装置。
【請求項２】
所定の記憶装置に接続された通信装置とネットワーク経由にて接続し、前記記憶装置に対して読み書きを実行する携帯電話端末装置であって、
通信装置へ、本携帯電話端末装置の電話番号を通知する通知部と、
前記通知部において電話番号を通知した通信装置のネットワークアドレスを受けつける受付部と、
前記受付部において受けつけたネットワークアドレスを宛先として、電話番号を提示しながら接続を要求する要求部と、
前記要求部において提示した電話番号と既に通知した電話番号とをもとに、前記通信装置によって、接続の要求に対する認証がなされた場合、ネットワーク経由の前記通信装置を介して記憶装置への読み書きのための通信を実行する通信部と、
を備えることを特徴とする携帯電話端末装置。
【請求項３】
記憶装置と接続する通信装置と、
前記通信装置とネットワーク経由にて接続し、前記記憶装置に対して読み書きを実行する携帯端末装置とを備え、
前記通信装置は、携帯電話端末装置から、当該携帯電話端末装置の電話番号を受けつけると、当該携帯電話端末装置へ本通信装置のネットワークアドレスを通知し、その後、通知したネットワークアドレスに携帯電話端末装置からの接続要求を受けつけると、当該携帯電話端末装置の電話番号と既に受けつけた電話番号とをもとに、接続要求に対する認証を実行し、認証した携帯電話端末装置に対して、ネットワーク経由にて記憶装置を利用するための通信路を確立することを特徴とする通信システム。
【請求項４】
携帯電話端末装置から通信装置に、当該携帯電話端末装置の電話番号が通知され、前記通信装置から前記携帯電話端末装置に、当該通信装置のネットワークアドレスが通知された後、前記通信装置は、通知したネットワークアドレスに携帯電話端末装置からの接続要求を受けつけると、当該携帯電話端末装置の電話番号と既に通知された電話番号とをもとに、認証を実行し、認証した携帯電話端末装置に対して、ネットワーク経由にて記憶装置への読み書きを制御することを特徴とする通信方法。
【発明の詳細な説明】
【技術分野】
【０００１】
本発明は、通信技術に関し、特にネットワークを介した接続を実行する通信方法、通信装置、携帯電話端末装置および通信システムに関する。
【背景技術】
【０００２】
近年、通信技術の進歩によって、住宅内の各部屋を結ぶホームネットワークが構築されている。また、ホームネットワークに情報家電を接続することによって、ホームサーバシステムが実現される。このようなホームサーバシステムでは、ホームサーバが各情報家電の状態を管理するとともに状態を制御する。一方、データ通信クライアントが搭載された携帯電話端末装置の普及によって、モバイルコンピューティングが実現される。モバイルコンピューティングにおいて、携帯電話端末装置は、ネットワークを介してサーバに接続し、サーバとのデータ通信を実行する。このようなホームサーバシステムとモバイルコンピューティングを融合すれば、外出先であっても、ユーザは、携帯電話端末によってホームサーバにアクセスし、住宅内の照明や冷蔵庫を制御できる（例えば、特許文献１参照）。
【特許文献１】特開２００３−２９８６５９号公報
【発明の開示】
【発明が解決しようとする課題】
【０００３】
ホームネットワークに記憶装置を接続すれば、携帯電話端末装置から記憶装置へのネットワークを介したアクセスが可能になる。このような形態によれば、ユーザは、外出先から携帯電話端末装置を使用することによって、記憶装置に記憶した写真やデータを利用できる。本発明者はこうした状況下、以下の課題を認識するに至った。携帯電話端末装置の操作性とユーザの利便性を考慮すれば、携帯電話端末装置から記憶装置を利用する際の処理は簡易である方が望ましい。つまり、ネットワーク経由の記憶装置を利用しているのにもかかわらず、あたかも携帯電話端末装置に内蔵された記憶装置であるかのような操作性が望ましい。また、操作性が簡易になったとしても、記憶装置に記憶されているデータの安全性は維持される方が望ましい。
【０００４】
本発明はこうした課題に鑑みてなされたものであり、その目的は、携帯電話端末装置による記憶装置の利用を安全かつ簡易に実現する通信技術を提供することにある。
【課題を解決するための手段】
【０００５】
上記課題を解決するために、本発明のある態様の通信装置は、携帯電話端末装置とネットワーク経由にて接続しながら、携帯電話端末装置から所定の記憶装置への読み書きを制御する通信装置であって、携帯電話端末装置から、当該携帯電話端末装置の電話番号を受けつける受付部と、受付部において電話番号を受けつけた携帯電話端末装置へ本通信装置のネットワークアドレスを通知する通知部と、通知部において通知したネットワークアドレスに携帯電話端末装置からの接続要求を受けつけると、当該携帯電話端末装置の電話番号と受付部において受けつけた電話番号とをもとに、接続要求に対する認証を実行する認証部と、認証部において認証した携帯電話端末装置に対して、ネットワーク経由にて記憶装置を利用するための通信路を確立する通信部と、を備える。
【０００６】
「ネットワークアドレス」とは、ネットワーク上における通信装置の位置を特定するための情報であり、例えば、ＩＰ（Ｉｎｔｅｒｎｅｔ  Ｐｒｏｔｏｃｏｌ）アドレスやＵＲＬ（Ｕｎｉｆｏｒｍ  Ｒｅｓｏｕｒｃｅ  Ｌｏｃａｔｏｒ）が含まれる。この態様によると、携帯電話端末装置を認証するために電話番号を使用するので、携帯電話端末装置による記憶装置の利用を安全かつ簡易に実現できる。
【０００７】
本発明の別の態様は、携帯電話端末装置である。この装置は、所定の記憶装置に接続された通信装置とネットワーク経由にて接続し、記憶装置に対して読み書きを実行する携帯電話端末装置であって、通信装置へ、本携帯電話端末装置の電話番号を通知する通知部と、通知部において電話番号を通知した通信装置のネットワークアドレスを受けつける受付部と、受付部において受けつけたネットワークアドレスを宛先として、電話番号を提示しながら接続を要求する要求部と、要求部において提示した電話番号と既に通知した電話番号とをもとに、通信装置によって、接続の要求に対する認証がなされた場合、ネットワーク経由の通信装置を介して記憶装置への読み書きのための通信を実行する通信部と、を備える。
【０００８】
この態様によると、携帯電話端末装置を認証するために電話番号を使用するので、記憶装置の利用を安全かつ簡易に実現できる。
【０００９】
本発明のさらに別の態様は、通信システムである。この通信システムは、記憶装置と接続する通信装置と、通信装置とネットワーク経由にて接続し、記憶装置に対して読み書きを実行する携帯端末装置とを備える。通信装置は、携帯電話端末装置から、当該携帯電話端末装置の電話番号を受けつけると、当該携帯電話端末装置へ本通信装置のネットワークアドレスを通知し、その後、通知したネットワークアドレスに携帯電話端末装置からの接続要求を受けつけると、当該携帯電話端末装置の電話番号と既に受けつけた電話番号とをもとに、接続要求に対する認証を実行し、認証した携帯電話端末装置に対して、ネットワーク経由にて記憶装置を利用するための通信路を確立する。
【００１０】
この態様によると、携帯電話端末装置を認証するために電話番号を使用するので、携帯電話端末装置による記憶装置の利用を安全かつ簡易に実現できる。
【００１１】
本発明のさらに別の態様は、通信方法である。この方法は、携帯電話端末装置から通信装置に、当該携帯電話端末装置の電話番号が通知され、通信装置から携帯電話端末装置に、当該通信装置のネットワークアドレスが通知された後、通信装置は、通知したネットワークアドレスに携帯電話端末装置からの接続要求を受けつけると、当該携帯電話端末装置の電話番号と既に通知された電話番号とをもとに、認証を実行し、認証した携帯電話端末装置に対して、ネットワーク経由にて記憶装置への読み書きを制御する。
【００１２】
なお、以上の構成要素の任意の組合せ、本発明の表現を方法、装置、システム、記録媒体、コンピュータプログラムなどの間で変換したものもまた、本発明の態様として有効である。
【発明の効果】
【００１３】
本発明によれば、携帯電話端末装置による記憶装置の利用を安全かつ簡易に実現できる。
【発明を実施するための最良の形態】
【００１４】
本発明を具体的に説明する前に、概要を述べる。本発明の実施例は、記憶装置が住居に設置されており、携帯電話端末装置からＩＰネットワークを介して記憶装置を利用する仮想記憶システムに関する。住居には、記憶装置に接続されたホームゲートウエイ装置が設置され、当該ホームゲートウエイ装置は、ＩＰネットワークに接続されている。また、ユーザは、携帯電話端末装置を所有しており、携帯電話装置は、携帯電話用ネットワークを介して、ＩＰネットワークに接続できる。このような構成において、ユーザは、携帯電話端末装置を使用しながら、携帯電話用ネットワーク、ＩＰネットワーク、ホームゲートウエイ装置を介して、記憶装置にアクセスし、記憶装置に記憶されたファイルを利用する。このような構成において、安全かつ簡易に利用できるシステムを構築するために、本実施例に係る仮想記憶システムは、以下の処理を実行する。
【００１５】
携帯電話端末装置とホームゲートウエイ装置は、有線や無線にて直接接続可能なインターフェイスを互いに有しており、当該インターフェイスを介して、携帯電話端末装置からホームゲートウエイ装置に電話番号が送信される。また、ホームゲートウエイ装置は、当該インターフェイスやＩＰネットワークを介して、自らのＩＰアドレスを携帯電話端末装置に送信する。携帯電話端末装置は、ＩＰアドレスに対して接続要求を送信する。なお、接続要求には、電話番号の情報が含まれている。ホームゲートウエイ装置は、接続要求を受信すると、電話番号をもとに認証を実行し、認証の完了後、携帯電話端末装置に記憶装置の利用を許可する。ここで、ホームゲートウエイ装置においてなされる認証は、ホームゲートウエイ装置への接続に対する認証だけではなく、記憶装置への接続に対する認証も兼ねている。
【００１６】
図１は、本発明の実施例に係る仮想記憶システム１００の構成を示す。仮想記憶システム１００は、携帯電話端末装置１０、基地局装置１４、携帯電話用ネットワーク１８、ＩＰネットワーク２０、ホームゲートウエイ装置２２、記憶装置２４を含む。また、携帯電話端末装置１０は、端末用アンテナ１２を含み、基地局装置１４は、基地局用アンテナ１６を含む。また、ホームゲートウエイ装置２２、記憶装置２４は、住居２６に設置される。
【００１７】
携帯電話端末装置１０は、携帯電話通信システムに対応した機能を有し、端末用アンテナ１２を介して基地局装置１４との通信を実行する。また、携帯電話端末装置１０は、近距離ワイヤレス通信システムに対応した機能も有する。基地局装置１４は、一端にて、携帯電話端末装置１０と接続するための基地局用アンテナ１６を備え、他端にて、携帯電話用ネットワーク１８と接続する。ユーザが、携帯電話端末装置１０を使用しながら通話を実行する場合、携帯電話端末装置１０と基地局装置１４とが接続され、かつ基地局装置１４と図示しない電話装置とが、携帯電話用ネットワーク１８を介して接続される。なお、通話の機能に関して、公知の技術が使用されればよいので、以下では説明を省略する。
【００１８】
携帯電話用ネットワーク１８は、ＩＰネットワーク２０に接続される。なお、携帯電話用ネットワーク１８とＩＰネットワーク２０の間には、図示しないゲートウエイ装置が設けられてもよい。ＩＰネットワーク２０は、インターネットプロトコルにしたがった通信処理を実行する。携帯電話端末装置１０がデータ通信を実行する場合、ＩＰネットワーク２０が使用される。
【００１９】
ホームゲートウエイ装置２２は、一端にて、ＩＰネットワーク２０と接続し、他端にて、記憶装置２４と接続する。なお、ホームゲートウエイ装置２２は、ひとつの端子を有し、当該端子を介して、ＩＰネットワーク２０および記憶装置２４と接続してもよい。さらに、ホームゲートウエイ装置２２は、近距離ワイヤレス通信システムに対応した通信機能も有しており、当該機能によって、携帯電話端末装置１０と直接接続できる。なお、近距離ワイヤレス通信システムの代わりに有線通信システムであってもよい。記憶装置２４は、写真データ、音声データ等のデータファイルを記憶する。また、記憶装置２４は、前述のごとく、ホームゲートウエイ装置２２に接続される。
【００２０】
携帯電話端末装置１０は、近距離ワイヤレス通信システムを使用して、ホームゲートウエイ装置２２に電話番号を通知する。ホームゲートウエイ装置２２も、近距離ワイヤレス通信システムを使用して、ホームゲートウエイ装置２２のＩＰアドレスを携帯電話端末装置１０に通知する。その後、携帯電話端末装置１０は、受けつけたＩＰアドレスに対して、携帯電話用ネットワーク１８、ホームゲートウエイ装置２２を介して接続要求を送信する。ホームゲートウエイ装置２２は、接続要求に含まれた電話番号と既に受けつけた電話番号とをもとに、接続要求に対する認証を実行する。なお、当該認証は、記憶装置２４の接続に対する認証も兼ねている。
【００２１】
その後、携帯電話端末装置１０は、基地局装置１４、携帯電話用ネットワーク１８、ＩＰネットワーク２０、ホームゲートウエイ装置２２を介して、記憶装置２４と通信を実行する。このような処理の結果、携帯電話端末装置１０によって、記憶装置２４に記憶したファイルの閲覧、更新や、記憶装置２４での新規ファイルの作成が可能になる。また、ユーザは、外出先においても、記憶装置２４に記憶した写真データ等を閲覧できる。つまり、ユーザは、携帯電話端末装置１０を使用しながら、記憶装置２４への読み書きを実行できる。ここで、認証の終了後、携帯電話端末装置１０が記憶装置２４を利用する際に、認証の処理は実行されない。その結果、記憶装置２４を利用する際の利便性が向上される。
【００２２】
図２は、携帯電話端末装置１０の構成を示す。携帯電話端末装置１０は、端末用アンテナ１２、携帯電話通信部４０、近距離ワイヤレス通信部４２、中央制御部４４、操作部４６、表示部４８、音声制御部１５０、マイク１５２、スピーカ１５４、不揮発性記憶装置１５６、外部記憶装置１５８、ＧＰＳ受信機１６０を含む。また、中央制御部４４は、通知部５０、受付部５２、要求部５４を含む。
【００２３】
操作部４６は、ボタン等によって構成されており、ユーザからの各種指示を受けつける。操作部４６は、受けつけた指示を中央制御部４４に出力する。表示部４８は、ディスプレイによって構成されており、中央制御部４４からの指示に応じた内容を表示する。音声制御部１５０は、携帯電話端末装置１０を初めとする電話機能付けの携帯型情報機器に設けられ、マイク１５２およびスピーカ１５４と接続されて、音声の入出力制御を行う。不揮発性記憶装置１５６は、電源オフ後も記憶内容を保持可能な記憶装置であり、ハードディスクドライブまたはフラッシュメモリ等の半導体メモリを含む。外部記憶装置１５８は、交換可能な記録媒体を使用するドライブ装置である。記録媒体には、磁気ディスク、光ディスク、光磁気ディスク、または半導体メモリなどが含まれる。ＧＰＳ受信機１６０は、人工衛星からの電波をもとに携帯型情報機器の場所を測位する装置である。
【００２４】
携帯電話通信部４０は、端末用アンテナ１２を介して、携帯電話通信システムに対応した通信を実行する。携帯電話通信部４０は、音声通信あるいはデータ通信を実行する。また、携帯電話通信部４０は、携帯電話通信部４０自体あるいはＳＩＭ（Ｓｕｂｓｃｒｉｂｅｒ  ｌｄｅｎｔｉｔｙ  Ｍｏｄｕｌｅ）カードに電話番号を有する。以下の説明では、電話番号を処理の対象として説明するが、電話番号の代わりに、ＳＩＭカードに記録された識別番号であってもよい。近距離ワイヤレス通信部４２は、ＩＥＥＥ８０２．１５．１規格やＩＥＥＥ８０２．１５．４規格に準拠した近距離無線通信システム、ＩｒＤＡ（Ｉｎｆｒａｒｅｄ  Ｄａｔａ  Ａｓｓｏｃｉａｔｉｏｎ）に準拠した赤外線通信システムに対応した通信を実行する。
【００２５】
通知部５０は、近距離ワイヤレス通信部４２に対して、本携帯電話端末装置１０の電話番号を図示しないホームゲートウエイ装置２２へ通知させる。通知部５０は、操作部４６からの指示をもとに電話番号の通知を実行させてもよく、あるいは近距離ワイヤレス通信部４２においてホームゲートウエイ装置２２との接近が検知された場合に自動的に電話番号の通知を実行させてもよい。ホームゲートウエイ装置２２との接近は、例えば、近距離ワイヤレス通信部４２が、図示しないホームゲートウエイ装置２２からの信号強度を測定し、測定した信号強度がしきい値よりも大きくなることによって検知される。通知部５０は、電話番号の通知の終了後、その旨を受付部５２に出力する。
【００２６】
受付部５２は、通知部５０において電話番号を通知した後、近距離ワイヤレス通信部４２を介してホームゲートウエイ装置２２から、当該装置のＩＰアドレスを受けつける。受付部５２は、受けつけたＩＰアドレスを要求部５４に出力する。要求部５４は、受付部５２において受けつけたＩＰアドレスを宛先として、携帯電話通信部４０に要求信号を送信させる。ここで、要求信号には、携帯電話通信部４０の電話番号が含まれる。携帯電話通信部４０は、要求部５４からの指示に応じて、図示しない基地局装置１４との間においてデータ通信を実行することによって、要求信号を送信する。ここで、要求信号の送信は、操作部４６からの指示に応じてなされてもよく、あるいは受付部５２においてＩＰアドレスを受けつけたときに自動的になされてもよい。
【００２７】
携帯電話通信部４０からの接続要求は、図示しない基地局装置１４、携帯電話用ネットワーク１８、ＩＰネットワーク２０を介してホームゲートウエイ装置２２に送信される。詳細は後述するが、ホームゲートウエイ装置２２において、電話番号を使用しながら、接続要求に対する認証がなされる。ホームゲートウエイ装置２２によって接続が許可された場合、携帯電話通信部４０は、ホームゲートウエイ装置２２からの許可通知を受信する。なお、許可通知には、ポート番号等の記憶装置２４にアクセスするための情報が含まれていてもよい。許可通知を受信すると、携帯電話通信部４０は、ホームゲートウエイ装置２２を介して記憶装置２４にアクセスする。
【００２８】
アクセスの結果、中央制御部４４は、携帯電話通信部４０を介して、記憶装置２４の内容、例えばディレクトリ構造、ファイル、写真データを受けつけ、表示部４８は、受けつけた内容を表示する。また、操作部４６は、携帯電話通信部４０を介して、記憶装置２４に対する操作、例えば複写、変更の指示を出力する。以上の処理によって、携帯電話端末装置１０は、携帯電話用ネットワーク１８、ホームゲートウエイ装置２２経由にて記憶装置２４と接続され、記憶装置２４を利用する。
【００２９】
図３（ａ）−（ｃ）は、表示部４８に表示される画面を示す。図３（ａ）は、要求部５４から接続要求を送信する前の段階における表示内容である。ユーザが操作部４６を操作しながら、「はい」を選択すると、要求部５４は、携帯電話通信部４０に要求信号を送信させる。図３（ｂ）は、携帯電話通信部４０を介して記憶装置２４が利用可能になった場合の表示内容であり、記憶装置２４に記憶された写真データの一覧が示される。図３（ｃ）は、携帯電話通信部４０を介して記憶装置２４が利用可能になった場合の表示内容であり、記憶装置２４のディレクトリ構造が示される。図３（ｂ）および（ｃ）は、携帯電話端末装置１０に内蔵された不揮発性記憶装置１５６にアクセスしている場合と同様に示される。そのため、ユーザは、内蔵された不揮発性記憶装置１５６を利用している場合と同様の操作にて記憶装置２４を利用できる。
【００３０】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３１】
図４は、ホームゲートウエイ装置２２の構成を示す。ホームゲートウエイ装置２２は、ＬＡＮ通信部６０、近距離ワイヤレス通信部６２、制御部６４、接続部６６を含む。また、制御部６４は、受付部６８、通知部７０、認証部７２を含む。
【００３２】
近距離ワイヤレス通信部６２は、前述の近距離ワイヤレス通信部４２と同様に、近距離ワイヤレス通信システムに対応した通信を実行する。ＬＡＮ通信部６０は、図示しないＩＰネットワーク２０と接続しており、インターネットプロトコルにしたがった通信を実行する。また。ＬＡＮ通信部６０には、ＩＰアドレスが付与されている。接続部６６は、図示しない記憶装置２４と接続している。ここでは、接続部６６もインターネットプロトコルにしたがった通信を実行する。
【００３３】
受付部６８は、図示しない携帯電話端末装置１０から近距離ワイヤレス通信部６２を介して、当該携帯電話端末装置１０の電話番号を受けつける。つまり、受付部６８は、近距離ワイヤレス通信システムによって、携帯電話端末装置１０からの電話番号を受けつける。受付部６８は、受けつけた旨を通知部７０に出力するとともに、受けつけた電話番号を認証部７２に出力する。通知部７０は、受付部６８からの通知を受けつけると、近距離ワイヤレス通信部６２に対して、ＬＡＮ通信部６０に付与されたＩＰアドレスを携帯電話端末装置１０へ送信させる。つまり、通知部７０は、近距離ワイヤレス通信システムによって、携帯電話端末装置１０へＩＰアドレスを通知する。また、通知部７０は、通知した旨を認証部７２に出力する。
【００３４】
ＬＡＮ通信部６０は、通知部７０からの指示に応じて、携帯電話端末装置１０へＩＰアドレスの情報を送信した後、携帯電話端末装置１０からの接続要求を受信する。ＬＡＮ通信部６０は、受信した接続要求を認証部７２に出力する。認証部７２は、受けつけた接続要求から電話番号を取得する。また、認証部７２は、取得した電話番号と、受付部６８において受けつけた電話番号とをもとに、接続要求に対する認証を実行する。つまり、両者が一致していれば、認証部７２は、携帯電話端末装置１０の接続を許可する。前述のごとく、認証部７２での認証は、記憶装置２４に対する認証も兼ねており、ホームゲートウエイ装置２２との接続を許可することによって、記憶装置２４の接続も許可することに相当する。一方、一致していなければ、認証部７２は、携帯電話端末装置１０の接続を拒否する。認証部７２は、許可した場合、ＬＡＮ通信部６０を介して携帯電話端末装置１０へ、許可通知を送信する。許可通知には、前述のごとく、記憶装置２４のネットワークアドレスを特定可能な情報が含まれていてもよい。また、認証部７２は、接続部６６を介して、接続を許可した旨を記憶装置２４に通知する。
【００３５】
認証部７２において許可がなされた後、ＬＡＮ通信部６０が図示しない携帯電話端末装置１０からの指示であって、かつ記憶装置２４での処理に対する指示を受けつけた場合、制御部６４は、当該指示を接続部６６から図示しない記憶装置２４に出力させる。また、接続部６６が指示に対する応答を受けつけた場合、制御部６４は、当該応答をＬＡＮ通信部６０から携帯電話端末装置１０に出力させる。つまり、制御部６４、ＬＡＮ通信部６０、接続部６６は、認証した携帯電話端末装置１０に、図示しない携帯電話用ネットワーク１８、ＩＰネットワーク２０経由にて記憶装置２４を利用させる。これは、制御部６４、ＬＡＮ通信部６０、接続部６６によって、携帯電話端末装置１０と記憶装置２４との間の通信路を確立し、携帯電話端末装置１０から記憶装置２４への読み書きを制御することに相当する。
【００３６】
以上の構成による仮想記憶システム１００の動作を説明する。図５は、仮想記憶システム１００における記憶装置２４の利用手順を示すシーケンス図である。携帯電話端末装置１０は、近距離ワイヤレス通信システムを使用しながら、ホームゲートウエイ装置２２に電話番号を通知する（Ｓ１０）。ホームゲートウエイ装置２２は、電話番号を受けつける（Ｓ１２）。ホームゲートウエイ装置２２は、近距離ワイヤレス通信システムを使用しながら、携帯電話端末装置１０にＩＰアドレスを通知する（Ｓ１４）。携帯電話端末装置１０は、受けつけたＩＰアドレスにしたがって、基地局装置１４を介してホームゲートウエイ装置２２に接続要求を送信する（Ｓ１６、Ｓ１８）。
【００３７】
ホームゲートウエイ装置２２は、受信した接続要求に含まれた電話番号と、予め受けつけた電話番号とをもとに認証を実行する（Ｓ２０）。接続を許可すると、ホームゲートウエイ装置２２は、基地局装置１４を介して携帯電話端末装置１０に許可通知を送信する（Ｓ２２、Ｓ２４）。その後、携帯電話端末装置１０は、基地局装置１４およびホームゲートウエイ装置２２を介して、記憶装置２４を利用する（Ｓ２６、Ｓ２８、Ｓ３０）。
【００３８】
図６は、携帯電話端末装置１０における記憶装置２４の利用手順を示すフローチャートである。通知部５０は、近距離ワイヤレス通信部４２を介して電話番号を通知し（Ｓ４０）、受付部５２は、近距離ワイヤレス通信部４２を介してＩＰアドレスを受けつける（Ｓ４２）。携帯電話通信部４０は、接続要求をホームゲートウエイ装置２２に送信する（Ｓ４４）。ホームゲートウエイ装置２２において認証がなされれば（Ｓ４６のＹ）、操作部４６および表示部４８は、携帯電話通信部４０を介して記憶装置２４を利用する（Ｓ４８）。一方、ホームゲートウエイ装置２２において認証がなされなければ（Ｓ４６のＮ）、ステップ４８はスキップされる。その後、処理は終了される。
【００３９】
図７は、ホームゲートウエイ装置２２における記憶装置の利用手順を示すフローチャートである。受付部６８は、近距離ワイヤレス通信部６２を介して電話番号を受けつけ（Ｓ６０）、通知部７０は、近距離ワイヤレス通信部６２を介してＩＰアドレスを通知する（Ｓ６２）。ＬＡＮ通信部６０は、携帯電話端末装置１０からの接続要求を受信し（Ｓ６４）、認証部７２は、接続要求から電話番号を抽出する（Ｓ６６）。抽出した電話番号と、受けつけた電話番号とが一致すれば（Ｓ６８のＹ）、認証部７２は、携帯電話端末装置１０による記憶装置２４の使用を許可する。また、ＬＡＮ通信部６０、制御部６４、接続部６６は、携帯電話端末装置１０に記憶装置２４を利用させる（Ｓ７０）。一方、電話番号が一致しなければ（Ｓ６８のＮ）、認証部７２は、携帯電話端末装置１０の接続を拒否する（Ｓ７２）。
【００４０】
以下に変形例を説明する。変形例では、実施例と比較して、ホームゲートウエイ装置２２から携帯電話端末装置１０へのＩＰアドレスの通知方法が異なる。実施例では、近距離ワイヤレス通信システムによって、ホームゲートウエイ装置２２から携帯電話端末装置１０へＩＰアドレスが通知される。一方、実施例では、電子メールを使用することによって、ＩＰネットワーク２０および携帯電話用ネットワーク１８を介して、ホームゲートウエイ装置２２から携帯電話端末装置１０へＩＰアドレスが通知される。なお、変形例に係る仮想記憶システム１００、携帯電話端末装置１０、ホームゲートウエイ装置２２の構成は、図１、図２、図４と同様のタイプである。
【００４１】
携帯電話端末装置１０の通知部５０は、近距離ワイヤレス通信部４２を介して電話番号を通知する際に、携帯電話端末装置１０のメールアドレスも通知する。また、受付部５２は、携帯電話通信部４０を介して、ホームゲートウエイ装置２２からの電子メールを受けつける。受付部５２は、電子メールの内容を確認し、ホームゲートウエイ装置２２のＩＰアドレスに関する情報を抽出する。抽出したＩＰアドレスをもとに、要求部５４は、実施例と同様の処理を実行する。
【００４２】
ホームゲートウエイ装置２２の受付部６８は、近距離ワイヤレス通信部６２を介して、携帯電話端末装置１０の電話番号を受けつける際に、携帯電話端末装置１０のメールアドレスも受けつける。また、通知部７０は、受けつけたメールアドレス宛に送信すべき電子メールを作成する。電子メールには、ＬＡＮ通信部６０に付与されたＩＰアドレスが含まれる。通知部７０は、ＬＡＮ通信部６０を介して、作成した電子メールを携帯電話端末装置１０へ送信する。
【００４３】
図８は、本発明の変形例に係る仮想記憶システム１００における記憶装置２４の利用手順を示すシーケンス図である。携帯電話端末装置１０は、近距離ワイヤレス通信システムを使用しながら、ホームゲートウエイ装置２２に電話番号およびメールアドレスを通知する（Ｓ９０）。ホームゲートウエイ装置２２は、受けつけたメールアドレス宛の電子メールを作成する（Ｓ９２）。ホームゲートウエイ装置２２は、基地局装置１４を介して携帯電話端末装置１０へ電子メールを送信する（Ｓ９４、Ｓ９６）。携帯電話端末装置１０は、受信した電子メールからＩＰアドレスを抽出する（Ｓ９８）。携帯電話端末装置１０は、抽出したＩＰアドレスにしたがって、基地局装置１４を介してホームゲートウエイ装置２２に接続要求を送信する（Ｓ１００、Ｓ１０２）。これに続く、ステップ１０４からステップ１１４の処理は、図５のステップ２０からステップ３０の処理と同一であるので、ここでは説明を省略する。
【００４４】
以下に別の変形例を説明する。別の変形例では、実施例および変形例と比較して、ホームゲートウエイ装置２２から携帯電話端末装置１０へのＩＰアドレスの通知方法が異なる。別の実施例に係る仮想記憶システム１００では、ＩＰネットワーク２０にセンタが設置され、ホームゲートウエイ装置２２は、センタにＩＰアドレスを登録するとともに、携帯電話端末装置１０は、センタにＩＰアドレスを問い合わせる。
【００４５】
図９は、本発明の別の変形例に係る仮想記憶システム１１０の構成を示す。仮想記憶システム１１０は、図１に示された仮想記憶システム１００に加えて、センタ１２０を含む。なお、変形例に係る携帯電話端末装置１０、ホームゲートウエイ装置２２の構成は、図２、図４と同様のタイプである。
【００４６】
センタ１２０は、ＩＰネットワーク２０に接続される。また、センタ１２０のＩＰアドレスは、固定的に設定されており、携帯電話端末装置１０およびホームゲートウエイ装置２２にとって既知である。例えば、センタ１２０は、携帯電話通信システムの通信事業者やＩＳＰ（インターネットＩｎｔｅｒｎｅｔ  Ｓｅｒｖｉｃｅ  Ｐｒｏｖｉｄｅｒ）等によって管理される。
【００４７】
携帯電話端末装置１０の図示しない通知部５０は、実施例と同様に近距離ワイヤレス通信システムを使用して、ホームゲートウエイ装置２２へ電話番号を通知する。また、通知部５０は、センタ１２０のＩＰアドレスを予め記憶しており、電話番号を通知した後、記憶したＩＰアドレスに対して、ホームゲートウエイ装置２２のＩＰアドレスの通知要求を携帯電話通信部４０に送信させる。その際、通知要求には、本携帯電話端末装置１０の電話番号が付加される。通知要求は、基地局装置１４、携帯電話用ネットワーク１８、ＩＰネットワーク２０を介して、センタ１２０に送信される。
【００４８】
また、センタ１２０は、後述のごとく、通知要求に対する認証を実行し、通知の許可を決定した場合に、ホームゲートウエイ装置２２のＩＰアドレスが含まれた応答を生成し、通知要求と逆の経路にて応答を携帯電話端末装置１０に送信する。図示しない受付部５２は、携帯電話通信部４０を介して、応答を受けつけ、受けつけた応答からＩＰアドレスを抽出する。また、受付部５２は、抽出したＩＰアドレスを図示しない要求部５４に出力する。これに続く処理は、実施例と同様であるので、ここでは、説明を省略する。
【００４９】
ホームゲートウエイ装置２２の図示しない受付部６８は、実施例と同様に近距離ワイヤレス通信システムを使用して、携帯電話端末装置１０から電話番号を受けつける。図示しない通知部７０は、センタ１２０のＩＰアドレスを予め記憶しており、当該ＩＰアドレスを宛先として、受付部６８にて受けつけた電話番号と、ＬＡＮ通信部６０に付与されたＩＰアドレスとの組合せをＬＡＮ通信部６０に送信させる。なお、組合せに含まれたＩＰアドレスは、センタ１２０での認証処理の実行後、携帯電話端末装置１０に通知されるので、通知部７０の処理は、携帯電話端末装置１０にＩＰアドレスを通知することに相当する。これに続く、図示しない認証部７２の処理は、実施例と同様であるので、ここでは、説明を省略する。
【００５０】
センタ１２０は、ホームゲートウエイ装置２２から前述の組合せを受信する。また、センタ１２０は、組合せを記憶する。一方、センタ１２０は、基地局装置１４、携帯電話用ネットワーク１８、ＩＰネットワーク２０を介して、携帯電話端末装置１０から通知要求を受信する。また、センタ１２０は、通知要求から電話番号を抽出した後、抽出した電話番号と、記憶した組合せに含まれた電話番号とをもとに、通知要求に対する認証を実行する。両者が一致した場合に、センタ１２０は、通知要求に対する応答の生成を決定する。なお、前述のごとく、応答には、組合せに含まれたＩＰアドレスが挿入される。また、センタ１２０は、ＩＰネットワーク２０、携帯電話用ネットワーク１８、基地局装置１４を介して、携帯電話端末装置１０に応答を送信する。
【００５１】
図１０は、センタ１２０の構成を示す。センタ１２０は、ＬＡＮ通信部８０、制御部８２、記憶部８４を含む。また、制御部８２は、ＩＰアドレス受付部８６、要求受付部８８、認証部９０、通知部９２を含む。
【００５２】
ＬＡＮ通信部８０は、図示しないＩＰネットワーク２０と接続しており、インターネットプロトコルにしたがった通信を実行する。また。ＬＡＮ通信部８０には、前述のごとく、携帯電話端末装置１０やホームゲートウエイ装置２２にとって既知のＩＰアドレスが付与されている。ＩＰアドレス受付部８６は、ＬＡＮ通信部８０を介して、図示しないホームゲートウエイ装置２２から、組合せの情報を受信する。組合せの情報には、ホームゲートウエイ装置２２のＩＰアドレスと電話番号とが含まれる。ＩＰアドレス受付部８６は、受信した組合せの情報を記憶部８４に記憶する。
【００５３】
要求受付部８８は、ＬＡＮ通信部８０を介して、携帯電話端末装置１０から通知要求を受信する。要求受付部８８は、受信した通知要求を認証部９０に出力する。認証部９０は、要求受付部８８から通知要求を受けつけ、通知要求に含まれた電話番号を抽出する。また、認証部９０は、記憶部８４に記憶された組合せを参照しながら、抽出した電話番号を検索する。電話番号が検出されれば、認証部９０は、当該電話番号を認証できたとして、通知要求に対する応答を生成する。その際、認証部９０は、検出した電話番号に対応したＩＰアドレスを応答に含める。さらに、認証部９０は、生成した応答を通知部９２に出力する。通知部９２は、認証部９０から受けつけた応答をＬＡＮ通信部８０に送信させる。その際の宛先は、携帯電話端末装置１０である。
【００５４】
図１１は、仮想記憶システム１１０における記憶装置２４の利用手順を示すシーケンス図である。携帯電話端末装置１０は、近距離ワイヤレス通信システムを使用しながら、ホームゲートウエイ装置２２に電話番号を通知する（Ｓ１３０）。ホームゲートウエイ装置２２は、ＩＰネットワーク２０を介して、ＩＰアドレスと電話番号との組合せをセンタ１２０に送信する（Ｓ１３２）。センタ１２０は、受信した組合せを登録する（Ｓ１３４）。携帯電話端末装置１０は、基地局装置１４を介して、センタ１２０に通知要求を送信する（Ｓ１３６、Ｓ１３８）。センタ１２０は、受信した通知要求から電話番号を抽出するとともに、登録した組合せを参照しながら電話番号を認証する（Ｓ１４０）。
【００５５】
センタ１２０は、基地局装置１４を介して、携帯電話端末装置１０に応答を送信する（Ｓ１４２、Ｓ１４４）。その際、センタ１２０は、ホームゲートウエイ装置２２のＩＰアドレスを応答に含める。携帯電話端末装置１０は、受信した応答からＩＰアドレスを抽出する。携帯電話端末装置１０は、抽出したＩＰアドレスにしたがって、基地局装置１４を介してホームゲートウエイ装置２２に接続要求を送信する（Ｓ１４６、Ｓ１４８）。これに続く、ステップ１５０からステップ１６０の処理は、図５のステップ２０からステップ３０の処理と同一であるので、ここでは説明を省略する。
【００５６】
図１２は、携帯電話端末装置１０における記憶装置２４の利用手順を示すフローチャートである。通知部５０は、近距離ワイヤレス通信部４２を介して電話番号を通知する（Ｓ１７０）とともに、センタ１２０を宛先として、携帯電話通信部４０に通知要求を送信させる（Ｓ１７２）。センタ１２０において認証がなされると（Ｓ１７４のＹ）、受付部５２は、携帯電話通信部４０を介して応答を受信する（Ｓ１７６）。受付部５２は、受信した応答からＩＰアドレスを抽出する。
【００５７】
携帯電話通信部４０は、接続要求をホームゲートウエイ装置２２に送信する（Ｓ１７８）。ホームゲートウエイ装置２２において認証がなされれば（Ｓ１８０のＹ）、操作部４６および表示部４８は、携帯電話通信部４０を介して記憶装置２４を利用する（Ｓ１８２）。一方、センタ１２０において認証がなされなければ（Ｓ１７４のＮ）、あるいはホームゲートウエイ装置２２において認証がなされなければ（Ｓ１８４のＮ）、処理は終了される。
【００５８】
図１３は、センタ１２０におけるネットワークアドレスの通知手順を示すフローチャートである。ＩＰアドレス受付部８６は、ＬＡＮ通信部８０を介して、ＩＰアドレスおよび電話番号の組合せをホームゲートウエイ装置２２から受信する（Ｓ２００）。ＩＰアドレス受付部８６は、ＩＰアドレスおよび電話番号の組合せを記憶部８４に登録する（Ｓ２０２）。要求受付部８８は、ＬＡＮ通信部８０を介して、携帯電話端末装置１０から通知要求を受信する（Ｓ２０４）。また、要求受付部８８は、受信した通知要求を認証部９０に出力し、認証部９０は、通知要求から電話番号を抽出する（Ｓ２０６）。
【００５９】
認証部９０において電話番号が一致すれば（Ｓ２０８のＹ）、通知部９２は、ＬＡＮ通信部８０を介して、携帯電話端末装置１０に応答を送信する（Ｓ２１０）。その際、通知部９２は、ホームゲートウエイ装置２２のＩＰアドレスを応答に含ませる。一方、電話番号が一致しなければ（Ｓ２０８のＮ）、認証部９０は、通知を拒否する（Ｓ２１２）。その後、処理は終了される。
【００６０】
本発明の実施例によれば、ホームゲートウエイ装置において、電話番号を受けつけ、電話番号をもとに携帯電話端末装置を認証した場合に、携帯電話端末装置に記憶装置を利用させるので、携帯電話端末装置による記憶装置の利用を安全かつ簡易に実現できる。また、携帯電話端末装置を認証するために電話番号を使用するので、携帯電話端末装置による記憶装置の利用を安全かつ簡易に実現できる。また、初期の段階における電話番号の通知は、ネットワークを介さずに実行されるので、安全性を向上できる。また、認証に電話番号を使用するので、携帯電話端末装置を使用するユーザにとって追加の操作が不要になり、利便性を向上できる。
【００６１】
また、接続要求に対する認証と記憶装置に対する認証とを兼ねさせる形で実行するので、処理を簡易にできる。また、携帯電話端末装置において、電話番号を通知し、電話番号をもとに認証がなされた場合に、ネットワークを経由した記憶装置を利用できるので、記憶装置の利用を安全かつ簡易に実現できる。また、記憶装置に一旦接続すると、さらなる接続の処理がなくても、ユーザは記憶装置を携帯電話端末装置から利用できるので、ユーザの利便性を向上できる。
【００６２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６３】
本発明の実施例において、ホームゲートウエイ装置２２のネットワークアドレスとして、ホームゲートウエイ装置２２のＩＰアドレスが携帯電話端末装置１０に通知される。しかしながらこれに限らず例えば、ホームゲートウエイ装置２２のネットワークアドレスとして、ホームゲートウエイ装置２２のＵＲＬが携帯電話端末装置１０に通知されてもよい。その際、ＩＰネットワーク２０には、図示しないＤＤＮＳ（Ｄｙｎａｍｉｃ  Ｄｏｍａｉｎ  Ｎａｍｅ  Ｓｙｓｔｅｍ）サーバが設置され、携帯電話端末装置１０は、基地局装置１４、携帯電話用ネットワーク１８、ＩＰネットワーク２０を介して、ＤＤＮＳサーバ宛に接続要求を送信する。また、ＤＤＮＳサーバでは、ホームゲートウエイ装置２２のＵＲＬからＩＰアドレスの変更を実行する。本変形例によれば、さまざまなネットワークの構成に本発明を適用できる。つまり、ネットワークアドレスとしてホームゲートウエイ装置２２の宛先が特定できればよい。
【００６４】
本発明の実施例において、記憶装置２４は、ホームゲートウエイ装置２２の外部に設けられ、ホームゲートウエイ装置２２に接続されている。しかしながらこれに限らず例えば、記憶装置２４は、ホームゲートウエイ装置２２に内蔵されており、ホームゲートウエイ装置２２とデータバスによって接続されていてもよい。その場合、ホームゲートウエイ装置２２は、携帯電話端末装置１０に対して、記憶装置２４を特定するためのネットワークアドレスを通知しなくてもよい。本変形例によれば、さまざまなホームゲートウエイ装置２２の形態に本発明を適用できる。
【００６５】
本発明の実施例において、記憶装置２４に対して単一の記憶領域が想定され、携帯電話端末装置１０は、単一の記憶領域を利用する。しかしながらこれに限らず例えば、記憶装置２４の記憶領域は複数の記憶領域に分割され、あるいは複数の記憶領域の集合によって記憶装置２４が形成されていてもよい。その場合、近距離ワイヤレス通信システムを使用して、携帯電話端末装置１０からホームゲートウエイ装置２２へ電話番号が通知される際に、携帯電話端末装置１０によって利用を希望する記憶領域の識別番号も通知されてもよい。例えば、記憶装置２４の記憶領域として、「Ａ」から「Ｃ」が存在する場合、「Ａ」から「Ｃ」のいずれか、あるいは任意の組合せを特定するための識別番号が、携帯電話端末装置１０からホームゲートウエイ装置２２へ通知される。認証部７２における認証の終了後、ホームゲートウエイ装置２２および記憶装置２４は、携帯電話端末装置１０に対して、受けつけた識別番号に対応した記憶領域のみの利用を許可する。本変形例によれば、記憶装置２４の利用に関して詳細な設定が可能になるので、記憶装置２４の管理上の利便性を向上できる。
【図面の簡単な説明】
【００６６】
【図１】本発明の実施例に係る仮想記憶システムの構成を示す図である。
【図２】図１の携帯電話端末装置の構成を示す図である。
【図３】図３（ａ）−（ｃ）は、図２の表示部に表示される画面を示す図である。
【図４】図１のホームゲートウエイ装置の構成を示す図である。
【図５】図１の仮想記憶システムにおける記憶装置の利用手順を示すシーケンス図である。
【図６】図２の携帯電話端末装置における記憶装置の利用手順を示すフローチャートである。
【図７】図４のホームゲートウエイ装置における記憶装置の利用手順を示すフローチャートである。
【図８】本発明の変形例に係る仮想記憶システムにおける記憶装置の利用手順を示すシーケンス図である。
【図９】本発明の別の変形例に係る仮想記憶システムの構成を示す図である。
【図１０】図９のセンタの構成を示す図である。
【図１１】図９の仮想記憶システムにおける記憶装置の利用手順を示すシーケンス図である。
【図１２】図９の携帯電話端末装置における記憶装置の利用手順を示すフローチャートである。
【図１３】図１０のセンタにおけるネットワークアドレスの通知手順を示すフローチャートである。
【符号の説明】
【００６７】
１０  携帯電話端末装置、  １２  端末用アンテナ、  １４  基地局装置、  １６  基地局用アンテナ、  １８  携帯電話用ネットワーク、  ２０  ＩＰネットワーク、  ２２  ホームゲートウエイ装置、  ２４  記憶装置、  ４０  携帯電話通信部、  ４２  近距離ワイヤレス通信部、  ４４  中央制御部、  ４６  操作部、  ４８  表示部、  ５０  通知部、  ５２  受付部、  ５４  要求部、  ６０  ＬＡＮ通信部、  ６２  近距離ワイヤレス通信部、  ６４  制御部、  ６６  接続部、  ６８  受付部、  ７０  通知部、  ７２  認証部、  １００  仮想記憶システム。
【図１】
2010068015.tif 000003
【図２】
2010068015.tif 000004
【図３】
2010068015.tif 000005
【図４】
2010068015.tif 000006
【図５】
2010068015.tif 000007
【図６】
2010068015.tif 000008
【図７】
2010068015.tif 000009
【図８】
2010068015.tif 000010
【図９】
2010068015.tif 000011
【図１０】
2010068015.tif 000012
【図１１】
2010068015.tif 000013
【図１２】
2010068015.tif 000014
【図１３】
2010068015.tif 000015